(57)【特許請求の範囲】
【請求項１】
熱交換流体の流通方向に対して直角な方向において互いに平行に且つ一定距離を隔てて配される多数枚のフィンからなるフィン群の複数が、該熱交換流体の流通方向に互いに一定距離を隔てて平行に配列されると共に、それら複数のフィン群を順次貫通するように伝熱管が蛇行形態において配設されてなる構造のフィン・アンド・チューブ式熱交換器において、
前記複数のフィン群を、前記熱交換流体の流通方向における上流側から下流側に第一段から順次最終段のフィン群としたとき、そのうちの第二段から最終段までのフィン群のうちの複数段のものを、前記第一段のフィン群に対して側方に部分的に突出せしめ、且つそれら突出した複数段のフィン群のうち、前記熱交換流体の流通方向における上流側に位置するフィン群よりも下流側に位置するフィン群を更に側方に部分的に突出せしめて、それら突出したフィン群におけるフィンの前縁部分にて部分前縁部を構成し、前記第一段のフィン群の前縁部と共に、該部分前縁部を通じて、前記熱交換流体が前記複数のフィン群に導き入れられるようにすると共に、
前記第二段以降の側方に突出せしめられたフィン群を、前段のフィン群に対して傾斜して配設し、該突出せしめられたフィン群に形成される前記部分前縁部が、細長な略三角形状を呈するように構成したことを特徴とするフィン・アンド・チューブ式熱交換器。
【請求項２】
前記前段のフィン群に対する前記突出せしめられたフィン群の傾斜角度が、１０°以下とされる請求項１に記載のフィン・アンド・チューブ式熱交換器。
【発明の詳細な説明】
【技術分野】
【０００１】
本発明は、気体（流体）と冷媒との間で熱交換が行なわれる熱交換器に係り、特に、冷蔵庫用の蒸発器等に好適に用いられるフィン・アンド・チューブ式熱交換器に関するものである。
【背景技術】
【０００２】
従来より、冷蔵庫用の蒸発器等に用いられるフィン・アンド・チューブ式熱交換器は、複数のフィンに対して垂直方向に伝熱管を差し込み、該伝熱管を拡管することによって、かかる複数のフィンと伝熱管とを接合させた構造のものにおいて、一般的に実用化されている。そして、そのような構造とされた熱交換器においては、伝熱管内に冷媒を流通せしめる一方、伝熱管に対して垂直方向に、前記複数のフィンに沿って熱交換流体としての空気を流すことによって、冷媒と空気との間で熱交換が行なわれるようになっている。
【０００３】
ところで、このような構造とされたフィン・アンド・チューブ式熱交換器において、その熱交換性能を向上させるために、伝熱管の段毎にフィンを分断した独立フィン型として、境界層前縁効果による熱伝達率の向上を図っているものが、一般的となっている。例えば、図５に示される熱交換器４０のように、互いに平行に且つ一定距離を隔てて配される多数枚のフィン４２からなるフィン群４４の複数が、熱交換流体の流通方向に向かって互いに平行に、一定距離を隔てて配列されると共に、それら複数のフィン群４４を順次貫通するように、伝熱管４６が蛇行形態において配設された構造のものが、よく用いられているのである。
【０００４】
しかしながら、このような構造とされたフィン・アンド・チューブ式熱交換器にあっては、流通する熱交換流体と最初に直接に接触する第一段目のフィン群においては、境界層前縁効果が大きく発揮されるのであるが、第二段目以降のフィン群においては、前段である第一段目のフィン群によって熱交換流体が遮られてしまい、直接に当たらなくなってしまうため、前縁効果が得られないといった問題点を内在するものであった。
【０００５】
そして、このような構造とされたフィン・アンド・チューブ式熱交換器の更なる熱伝達率の向上を図るために、例えば、実公昭５９−１０８０７９号公報（特許文献１）においては、冷媒管（伝熱管）を空気の流れ方向に対して千鳥状に配置し、プレートフィンを冷媒管に対して列ごと及び段ごとに分断し、この分断されたプレートフィンが列ごと及び段ごとに面積の大きいものと小さいものが交互になるように配置した熱交換器が明らかにされている。このような構造とされた熱交換器によれば、プレートフィンが列ごと及び段ごとに分断されていることによって、２列目以降のフィンにも通風する空気が直接に当たる部分が出来るため、より大きな境界層前縁効果が得られて、熱伝達率が向上し、以て、熱交換性能の向上が計られているのである。
【０００６】
また、特開昭５９−１２２７８号公報（特許文献２）においては、強制通風方式冷蔵庫における蒸発器のフィンの配列を、冷蔵庫冷気吸込ダクト側である冷却管の下段中央を基点として、冷却管（伝熱管）の上段に行くに従って順次密ピッチに配置し、また冷却管の格段とも両端側に行くに従って順次密ピッチに配設した冷蔵庫の熱交換器構造が、明らかにされている。このような熱交換器構造によれば、風上側のフィンピッチを大きくしているところから、風下側のフィンにまで空気が流れやすくなるため、冷媒管の上段まで有効に熱交換することが可能となり、熱交換効率を高め得ると共に、熱交換器の使用に伴って発生するフィンの霜詰まりにも強い熱交換器とすることが出来る。
【０００７】
しかしながら、これら特許文献１及び特許文献２に明らかにされている各熱交換器にあっては、その熱伝達率の向上、即ち熱交換性能の向上は充分ではなく、さらなる熱伝達率の向上が望まれているのであった。例えば、特許文献２に明らかにされている熱交換器にあっては、風上側のフィンピッチを大きくすることによって、２段目以降のフィン群においても前縁効果が得られるようになってはいるのであるが、フィンピッチを増大することによって伝熱面積が減少してしまうため、そのようなフィンピッチの大きい部位において熱伝達率を悪化させてしまい、充分な性能を発揮するものではないのであった。
【０００８】
【特許文献１】実公昭５９−１０８０７９号公報
【特許文献２】特開昭５９−１２２７８号公報
【発明の開示】
【発明が解決しようとする課題】
【０００９】
ここにおいて、本発明は、かかる事情を背景にして為されたものであって、その解決課題とするところは、空気の流れ方向に対して多段配列されるフィン・アンド・チューブ式熱交換器において、第一段目のフィン群の前縁効果のみならず、２段目以降のフィン群においても前縁効果を得ることが出来、以て熱交換器の収容面積あたりの熱交換性能を向上させることが可能なフィン・アンド・チューブ式熱交換器を提供することにある。
【課題を解決するための手段】
【００１０】
そして、本発明にあっては、かくの如き課題の解決のために、熱交換流体の流通方向に対して直角な方向において互いに平行に且つ一定距離を隔てて配される多数枚のフィンからなるフィン群の複数が、該熱交換流体の流通方向に互いに一定距離を隔てて平行に配列されると共に、それら複数のフィン群を順次貫通するように伝熱管が蛇行形態において配設されてなる構造のフィン・アンド・チューブ式熱交換器において、前記複数のフィン群を、前記熱交換流体の流通方向における上流側から下流側に第一段から順次最終段のフィン群としたとき、そのうちの第二段から最終段までの少なくとも一つの段のフィン群を、前記第一段のフィン群に対して側方に部分的に突出せしめて、その突出したフィンの前縁部分にて部分前縁部を構成し、前記第一段のフィン群の前縁部と共に、該部分前縁部を通じて、前記熱交換流体が前記複数のフィン群に導き入れられるようにしたことを特徴とするフィン・アンド・チューブ式熱交換器を、その要旨とするものである。
【００１１】
しかも、このような本発明に従うフィン・アンド・チューブ式熱交換器においては、更に、前記第二段から最終段のうちの複数段のフィン群は、前記第一段のフィン群よりも側方に部分的に突出せしめられ、且つそれら複数段のフィン群のうち、前記熱交換流体の流通方向における上流側に位置するフィン群よりも下流側に位置するフィン群が更に側方に部分的に突出せしめられて、それら突出した各段のフィン群に何れも前記部分前縁部が形成されることとなる。
【００１２】
そして、かかる本発明に従うフィン・アンド・チューブ式熱交換器においては、前記第二段以降の側方に突出せしめられたフィン群は、前段のフィン群に対して傾斜して配設され、該突出せしめられたフィン群に形成される前記部分前縁部は、細長な略三角形状を呈するように構成されている。
【００１３】
なお、本発明の好ましい態様の一つによれば、前記前段のフィン群に対する前記突出せしめられたフィン群の傾斜角度が、１０°以下となるようにして、目的とするフィン・アンド・チューブ式熱交換器が構成されることとなる。
【発明の効果】
【００１６】
従って、このような本発明に従う構成とされたフィン・アンド・チューブ式熱交換器によれば、多数枚のフィンから構成された複数のフィン群のうち、熱交換流体の流通方向の最も上流側にある第一段目のフィン群に対して、第二段から最終段までの少なくとも一つの段のフィン群が側方に部分的に突出せしめられているところから、第一段目のフィン群の前縁部とかかる突出せしめられた部位に形成される部分前縁部との両方において、流通する新生な熱交換流体と接することで伝熱促進効果が促進される、いわゆる前縁効果が、より有利に発揮されることとなり、以て、熱交換性能を効果的に向上させることが可能となる。
【００１７】
さらに、従来の構造とされたフィン・アンド・チューブ式熱交換器では、前縁効果が発揮される１段目、即ち流通する熱交換流体の上流側となる一番目の段のフィン群に、着霜が集中してしまうため、着霜運転時間を長く維持するためには必要とする能力以上の大きな熱交換器が必要であったが、本発明に従う構造とされたフィン・アンド・チューブ式熱交換器においては、前縁効果が発揮される領域が効果的に拡大されているところから、着霜する領域も大きな領域となり、着霜による熱交換能力が低下してしまう箇所を分散させることが出来るため、熱交換器を小型化することが可能となり、更には、そのように着霜する領域の分散によって、着霜運転時間の延長や除霜運転時間の低減といった効果も、有利に発揮されることとなる。
【発明を実施するための最良の形態】
【００１８】
以下、本発明を更に具体的に明らかにするために、本発明の実施の形態について、図面を参照しつつ、詳細に説明することとする。
【００１９】
先ず、図１及び図２には、本発明に従うフィン・アンド・チューブ式熱交換器の一実施形態が、それぞれ異なる形態において示されている。即ち、図１には、斜視図の形態において、そして図２（ａ）には、一つのフィン群の両端のフィンのみを実線で示し、その他のフィンを仮想線にて示した、図１と同様な斜視図の形態において、また図２（ｂ）には、図２（ａ）と同様に、フィン群の一部を仮想線で示した正面図の形態において、更に図２（ｃ）には、側面図の形態において、それぞれ示されている。そこにおいて、熱交換器１０は、互いに平行に且つ一定距離を隔てて配置された多数枚のフィン１２からなるフィン群１４の複数が、それぞれ一定距離を隔てて平行に配列されていると共に、それら複数のフィン群を順次貫通するように、伝熱管１６が、蛇行形態において配設されているのである。そして、熱交換流体である空気の流通方向において上流側となる第一段目のフィン群１４ａに対して、第二段目のフィン群１４ｂの一部が、側方（図１においては上方）に部分的に突出せしめられ、更に、第三段目のフィン群１４ｃの一部が、それら第一段目のフィン群１４ａと第二段目のフィン群１４ｂよりも、更に側方に部分的に突出せしめられた状態において、構成されている。
【００２０】
より詳細には、フィン１２は、従来と同様に、アルミニウム若しくはその合金等の所定の金属材料にて形成された、ここでは、略矩形形状を呈した薄肉の板状フィンとされ、その複数が、熱交換流体である空気の流通方向（図１において左右方向）に対して垂直な方向、つまり、板の厚さ方向が空気の流通方向に垂直となるようにして、互いに平行に且つ所定の間隔（フィンピッチ）を隔てて配置されている。なお、それぞれのフィン１２間の間隔（フィンピッチ）は、従来と同様に適宜に設定されることとなるが、一般に、全て同一で、且つ１．５ｍｍ〜３．０ｍｍ程度とされることが望ましい。これは、フィンピッチが１．５ｍｍ未満とされた場合にあっては、着霜によるフィンの目詰まりによる熱交換性能への影響が、無視出来なくなってしまうからである。一方、フィンピッチが３．０ｍｍを超えた場合にあっては、伝熱面積が減少してしまうことから、充分な伝熱性能を発揮することが出来ず、熱交換性能が低下してしまうようになるからである。
【００２１】
一方、伝熱管１６は、アルミニウムや銅又はそれらの合金等の金属材料を用いて形成された、略円形形状の断面をもつ管体であって、そのような伝熱管１６の直線部が、複数枚のフィン１２のそれぞれの略中央部位に形成された取付孔を順次貫通し、伝熱管１６の外周面とそれら複数のフィン１２に形成された取付孔の内周面とが密着せしめられている。そして、このように伝熱管１６とフィン１２とが結合されることによって、フィン群１４が形成されているのである。なお、このようなフィン１２と伝熱管１６との結合は、従来から公知の各種の方法が、適宜選択されて、用いられることとなるが、特に、フィン１２の中央部位に、伝熱管１６の外径よりも僅かに大きな内径となる孔を開けておき、そのような孔内に伝熱管１６を挿通せしめた後、伝熱管１６内に拡管プラグを挿入し、伝熱管１６の外径を拡大することによって、伝熱管１６の外周面とフィン１２に設けられた孔の内周面とを密着せしめる方法が、好適に採用されることとなる。
【００２２】
また、伝熱管１６は、図１や図２に示されるように、熱交換流体である空気の流通方向に向かって、互いに平行に且つ一定距離を隔てて配列されている複数のフィン群１４を、順次貫通するように、蛇行形態を呈するように配設されている。なお、このように伝熱管１６を蛇行形状となるようにして、目的とするフィン・アンド・チューブ式熱交換器１０の形状とするには、以下のような方法を例示することが出来る。例えば、１本の長い伝熱管１６に対して、フィン群１４を所定間隔を隔てて形成しておいた後、伝熱管１６のフィン群が形成されていない箇所を、Ｕ字形状に曲げ加工することによって曲げ部１８ｂを形成し、蛇行形状とすることによって、図１や図２に示される如く、目的とする熱交換器１０の形状を形成する方法である。このような方法が一般的に用いられることが多いのではあるが、その他にも、直線状の伝熱管１６の外周面に複数枚のフィン１２を接合させて形成したフィン群１４を複数用意しておき、それらを互いに平行に且つ一定距離を隔てて配置した後に、開口する伝熱管１６の端部に対してＵベンド管をろう付けすることによって、フィン群１４が蛇行する伝熱管１６によって順次接続されるようにする方法もある。
【００２３】
そして、熱交換器１０にあっては、空気の流通方向に向かって配列されている複数のフィン群１４のうち、空気の流通方向における最も上流側となる第一段目のフィン群１４ａに対して、第二段目のフィン群１４ｂの一部が、図１や図２（ａ）〜（ｃ）に示されるように、側方（図１及び図２（ａ）において上方）に突出した形態とされていると共に、フィン群１４ｃ及びそれ以降のフィン群１４の一部が、それらフィン群１４ａ及びフィン群１４ｂよりも更に側方に突出するようにして、構成されている。
【００２４】
なお、このようなフィン群１４ｂの突出は、伝熱管１６のフィン１２が接合されている直線部１８ａと、フィン群１４ａとフィン群１４ｂとを連結しているＵ字形状の曲げ部１８ｂのうち、曲げ部１８ｂにおいて、熱交換器１０の高さ方向に所定角度曲げ加工を行なうことによって、フィン群１４ａより側方に突出するフィン群１４ｂの側面の、流通する空気の流れる方向と平行となる側面が、フィン群１４ａに対してα°傾斜した状態となるようにされて、形成されている。更に、フィン群１４ｃの突出も同様にして、フィン群１４ｂとフィン群１４ｃとを連結している曲げ部１８ｂを熱交換器１０の高さ方向に所定角度湾曲させることによって、フィン群１４ｂに対してα°傾斜した状態となるようにして、フィン群１４ａに対しては平行となるように形成されている。
【００２５】
そして、このようにフィン群１４ｂやフィン群１４ｃの一部が、その前段のフィン群よりも部分的に突出することによって、流通する空気と直接に接触する側面、即ち、空気の流通方向に垂直な方向となる側面の一部が、前段のフィン群１４の側面よりも突出して、かかる突出部位に、略三角形形状を呈する部分前縁部２２や部分前縁部２４が形成されているのである（図２（ａ）及び（ｂ）参照）。
【００２６】
このように、図示の熱交換器１０にあっては、第一段目のフィン群１４ａの、熱交換流体である空気が流通してくる側（風上側）の面が前縁面２０となることに加えて、第二段目のフィン群１４ｂの、フィン群１４ａよりも側方に突出した部分に、一つの部分前縁部２２が、更には第三段目のフィン群１４ｃの、フィン群１４ａやフィン群１４ｂよりも側方に突出した部分に、もう一つの部分前縁部２４が、それぞれ形成されているのである。
【００２７】
なお、このようなフィン群１４ｂ及びフィン群１４ｃの傾斜角度（α）は、望ましくは１０°以下とされることとなる。これは、傾斜角度が大きくなりすぎると、熱交換器の高さが大きくなってしまうため、熱交換器の占める容量が大きくなり、その結果、この熱交換器が使用される冷蔵庫において、冷蔵庫内の容量が減少してしまったり、流通する熱交換流体（空気）側の圧力損失に、悪影響を及ぼす恐れがあるのである。
【００２８】
従って、このような本発明に従う構成とされた熱交換器１０によれば、熱交換流体である空気の流通する最上流側に配置されたフィン群１４ａの前縁面２０のみならず、第二段目のフィン群１４ｂに形成される部分前縁部２２や第三段目に形成される部分前縁部２４においても、前縁効果が有利に発揮されることとなり、以て、熱交換性能を効果的に向上することが可能となるのである。
【００２９】
さらに、フィン群１４ｂ及びフィン群１４ｃのフィン群１４ａからの突出が、フィン群１４ｂをフィン群１４ａに対して、或いはフィン群１４ｃをフィン群１４ｂに対してα度傾けることによって形成されているところから、フィン群１４ｂ、フィン群１４ｃにおいて、フィン１２の後縁に位置し、大きな前縁効果が得られない部分においても、空気流に対するフィンの抑え角の差に起因する撹乱効果、即ち、温度・速度境界層低減効果が得られることとなり、一層の伝熱促進効果を得ることが出来る（図３参照）。加えて、そのような第二段目以降のフィン群１４の各段における前縁効果を有する部分の占める面積が、流路幅方向に連続的に変化することから、流路幅方向にも大きな撹乱効果を発揮することとなり、より一層の伝熱促進効果が得られることとなり、以て、更なる熱交換性能向上が達成されることとなる。
【００３０】
また、このような熱交換器１０の構成が、従来のフィン・アンド・チューブ式熱交換器の製造方法と同様にして、伝熱管１６へとフィン１２を接合した後に、伝熱管１６を蛇行形状となるように曲げ加工を施し、その曲げ加工の際に、第二段目以降のフィン群１４の一部が前段のフィン群１４の側方に突出するようにするのみで実現され、以て目的とする熱交換器１０を製造することが可能であるところから、熱交換器１０の生産コストの上昇を有利に抑えることが出来ることとなるといった効果も、発揮されるのである。
【００３１】
さらに、本発明に従う熱交換器１０においては、前縁効果が発揮される箇所が、前縁面２０や部分前縁部２２、部分前縁部２４と、拡散しているため、熱交換器１０の使用に伴って発生するフィン１２への着霜を効果的に抑えることが可能となり、以て、着霜による熱交換能力が低下してしまう問題の発生を抑制乃至は回避すると共に、着霜運転時間の延長や除霜運転時間の低減といった効果が、有利に発揮され得るのである。また、このように、着霜による熱交換能力の低下が発生しないため、熱交換器の小型化が可能となるといった効果も、有利に発揮されることとなる。
【００３２】
以上、本発明の代表的な実施形態の一つとその製作方法について詳述してきたが、それらは、あくまでも例示に過ぎないものであって、本発明は、そのような実施形態に係る具体的な記述によって、何等限定的に解釈されるものではないことが、理解されるべきである。
【００３３】
例えば、前述の実施形態においては、第三段目であるフィン群１４ｃを、第二段目のフィン群１４ｂに対してα°傾斜させることによって、第一段目のフィン群１４ａと平行となるように構成していたが、傾斜角度：αを、より大きい又は小さい傾斜角度：α’として、第一段目のフィン群１４ａと平行としないようにすることも、勿論可能である。このような傾斜角度：α’にあっても、前述した理由の通り、望ましくは１０°以下とされることとなる。
【００３４】
また、例示した実施の形態のように、第一段目のフィン群１４ａに対して第二段目のフィン群１４ｂをα度傾斜させて、第二段目のフィン群１４ｂに部分前縁部２０を形成するようにする他にも、図４（ａ）〜（ｃ）に示される如く、第一段目のフィン群１４ａに対して第二段目のフィン群１４ｂを平行移動した形態において配置することによって、フィン群１４ｂをフィン群１４ａから部分的に突出させ、細長な長方形形状を呈する部分前縁部３２を形成するようにして、熱交換器３０を構成することも、可能である。なお、このような構成とした場合にあっては、フィン群１４ａを貫通する伝熱管１６の直線部（１８ａ）の中心線と、フィン群１４ｂを貫通する伝熱管１６の直線部（１８ａ）の中心線とが位置する面に対して、熱交換流体である空気の流通方向の為す角度、即ち、図４（ｃ）における角度βは、望ましくは２０°以下とされることとなる。これは、かかる角度βが大きくなると、熱交換器の高さ（厚さ）が大きくなるため、熱交換器の容量増加によって冷蔵庫内の容積が減少してしまったり、流通する空気側の圧力損失を悪化させる問題が惹起されるためである。
【００３５】
さらに、フィン１２の形状も、前述の実施形態に示した矩形形状の外にも、例えば、円形形状を採用したり、或いは多角形形状を採用することも可能であって、それらは、目的とする熱交換器１０の形状や性能に応じて、適宜決定されることとなる。
【００３６】
更にまた、かかる例示の実施形態においては、フィン１２の１枚に対して、伝熱管１６が一本貫通する構造としていたが、フィン１２に複数の孔を形成して、それぞれの孔に別の伝熱管１６が貫通する構造とすることも、可能である。
【００３７】
その他、一々列挙はしないが、本発明が、当業者の知識に基づいて、種々なる変更、修正、改良等を加えた態様において実施されるものであり、またそのような実施の態様が、本発明の趣旨を逸脱しない限りにおいて、何れも、本発明の範疇に属するものであることは、言うまでもないところである。
【実施例】
【００３８】
以下に、本発明の代表的な実施例の一つを示し、本発明の特徴を更に明確にすることとするが、本発明が、そのような実施例の記載によって、何等の制約をも受けるものでないことは、言うまでもないところである。
【００３９】
先ず、本発明に従うフィン・アンド・チューブ式熱交換器を構成するために用いる伝熱管として、りん脱酸銅（ＪＩＳ  Ｈ３３００  Ｃ１２２０）からなる、外径：６．３５ｍｍの断面が円形形状とされた、長い直線状の管体を用意した。一方、フィン材料としては、板厚：０．１３ｍｍの、純アルミニウム（ＪＩＳ  Ａ１０５０）の板材を準備し、それを所定のフィン寸法に切断し、略中央部に伝熱管が挿通される貫通孔を形成したものを用意した。
【００４０】
このように用意された伝熱管とフィン材料を用いて、フィン材料の複数をそれぞれの貫通孔が所定間隔を隔てて平行に位置するように配列し、そしてその貫通孔を伝熱管が順次貫通するように挿通させた後に、伝熱管を拡管して、伝熱管とフィンを一体化させて、フィン群を形成した。次いで、このようなフィン群を、伝熱管の長さ方向に、所定間隔を隔てて８個形成した後に、伝熱管のフィン群が形成されていない箇所に対して曲げ加工を施して、伝熱管が蛇行形態となるように構成し、フィン群が所定間隔を隔てて平行に配列されるようにされた、図１や図２に示される如き形状のフィン・アンド・チューブ式熱交換器（１０）を製作し、これを、実施例１とした。
【００４１】
なお、上記の如くして得られる熱交換器（１０）において、そのフィン（１２）は、１辺の長さ（ａ）：３０ｍｍ、厚さ（ｔ）：０．１３ｍｍの正方形形状とされ、伝熱管（１６）は、拡管後の外径（Ｄ）が６．７５ｍｍとし、フィン（１２）の１枚に対して１本が、その略中央を貫通させた形態とされた。また、伝熱管（１６）の直管部（１８ａ）に対して、５０枚のフィン（１２）が、フィン間隔：５ｍｍを隔てて平行に配列されて、接合されることによって、フィン群（１４）を形成した。このときの熱交換器の幅（ｗ）は、２５０．１３ｍｍとした。更に、隣り合うフィン群（１４）を連結する伝熱管（１６）の曲げ部（１８ｂ）は、おおよその曲げ半径（Ｒ）：１６ｍｍとした。なお、熱交換器の長さ方向への段数は８段とし、隣り合うフィン群（１４）の間隔は１ｍｍとすることによって、熱交換器の長さ（Ｌ）は２４７ｍｍとした。
【００４２】
また、第一段目のフィン群（１４ａ）に対して、第二段目のフィン群（１４ｂ）を、熱交換器の高さ方向（図１において上下方向）に角度（α）：２°傾斜させると共に、同様にして第三段目のフィン群（１４ｃ）を第二段目のフィン群（１４ｂ）に対して、角度（α）：２°傾斜させることによって、第二段目のフィン群（１４ｂ）と第三段目のフィン群（１４ｃ）にも、部分前縁面（２２）及び部分前縁面（２４）を、それぞれ形成した。そして、このようなフィン群を傾斜させることによって生じる高さ方向のずれ（ｃ）は９ｍｍとなるようにして、部分前縁面の面積は、それぞれ１１２６ｍｍ2 となるようにした。なお、第一段目のフィン群（１４ａ）の前縁面（２０）の面積は、フィン群（１４ａ）のフィン高さ（ａ）と熱交換器の幅（ｗ）より、７５０４ｍｍ2 であった。
【００４３】
一方、比較例として、実施例１と同様な伝熱管とフィン材料を用意し、実施例１と同様の製作方法によって、図５に示される如きフィン・アンド・チューブ式熱交換器（４０）を製作し、これを比較例１とした。かかる比較例１の熱交換器における、フィンの形状や大きさ、伝熱管の太さ、フィン群としたときのフィン枚数やフィンピッチ、フィン群の段数やフィン群の間隔、熱交換器の幅や長さは、実施例１の熱交換器と同じ値となるようにした。また、第一段目のフィン群（４４）の前縁面の面積も、実施例１と同じく、７５０４ｍｍ2 であった。
【００４４】
なお、上記した実施例１に係る熱交換器（１０）の容積は、フィン高さに傾斜せしめたフィン群の高さ方向のずれを加えたものに、熱交換器の幅と長さを掛け合わせることによって得られ、その値は、２４０９５０２ｍｍ3 となった。一方、比較例１に係る熱交換器（４０）の容積は、フィンの高さと熱交換器の幅と長さを掛け合わせて、１８５３４６３ｍｍ3 となった。従って、実施例１の熱交換器と比較例１の熱交換器の容積比は、１．３となった。
【００４５】
そして、このように準備されたそれぞれのフィン・アンド・チューブ式熱交換器において熱交換流体として空気を用い、その空気側を、乾球温度：２７℃、湿球温度：２４℃、前面風速：０．５ｍ〜１．５ｍ／ｓの条件とする一方、伝熱管内部を流通させる冷媒としてＲ１３４ａを用い、その冷媒側を、飽和温度５℃、過熱度５Ｋの条件として、熱交換試験を行い、それぞれの熱交換性能を測定した。
【００４６】
その結果、実施例１の熱交換器においては、比較例１の熱交換器に比して、１．６倍の熱交換性能を達成することが確認された。なお、実施例１の熱交換器が占める空間の容積が、比較例１の熱交換器の容積の１．３倍であることから、同じ容積に換算しても、１．２倍の熱交換性能であるところから、従来の構造とされたフィン・アンド・チューブ式熱交換器よりも、本発明に従う構造とされたフィン・アンド・チューブ式熱交換器の方が、高い熱交換性能を発揮することも確認された。
【図面の簡単な説明】
【００４７】
【図１】本発明に従うフィン・アンド・チューブ式熱交換器の一例を示す斜視説明図である。
【図２】図１に示されるフィン・アンド・チューブ式熱交換器の構造の理解を容易とするために、その一部を仮想線にて示す説明図であって、（ａ）は、一つのフィン群の両端のフィンのみを実線で示し、その他のフィンを仮想線にて示した斜視説明図であり、（ｂ）は、（ａ）と同様に、フィン群の一部を仮想線で示した正面説明図であり、（ｃ）は、側面説明図である。
【図３】図２（ｂ）におけるＡ部分を拡大して、フィンを実線にて示した正面説明図である。
【図４】フィン・アンド・チューブ式熱交換器の別の一例を示す説明図であって、（ａ）は、一つのフィン群の両端のフィンのみを実線で示し、その他のフィンを仮想線にて示した斜視説明図であり、（ｂ）は、（ａ）と同様に、フィン群の一部を仮想線で示した正面説明図であり、（ｃ）は、側面説明図である。
【図５】従来のフィン・アンド・チューブ式熱交換器の一例を示す斜視説明図である。
【符号の説明】
【００４８】
１０  熱交換器
１２  フィン
１４  フィン群
１６  伝熱管
１８ａ  直線部
１８ｂ  曲げ部
２０  前縁面
２２  部分前縁部
２４  部分前縁部
【図１】
0005138408.tif 000002
【図２】
0005138408.tif 000003
【図３】
0005138408.tif 000004
【図４】
0005138408.tif 000005
【図５】
0005138408.tif 000006